(57)【要約】      （修正有）【課題】ネットワークに接続する記憶装置を用いて高い解像度の画像データを送信し転送する手段を提供する。【解決手段】画像処理装置は、読取った原稿画像から複数の分割データからなる画像データを生成する。外部記憶装置から空き容量が画像データの容量より小さいことを受信した場合は外部記憶装置へ格納可能な分割データを送信し、残データをデータ記憶部に格納する。外部記憶装置からの残データ取得要求に応じてデータ記憶部の残データを送信する。外部記憶装置は、画像処理装置から受信した分割データをデータ格納部に格納する。情報端末から画像データ取得要求を受信したときにデータ格納部から分割データを読出し、それが不完全な状態で格納されたものである場合に残データ取得要求を送信し、受信した残データと読出した分割データとを情報端末へ送信する。情報端末は外部記憶装置へ画像データ取得要求を送信し、外部記憶装置から画像データを受信する。【選択図】図１
2012199699.tif 000002
【特許請求の範囲】
【請求項１】
画像処理装置と外部記憶装置と情報端末とをネットワークを介して接続した画像処理システムであって、
前記画像処理装置は、
原稿画像を読取る画像読取部と、
前記画像読取部で読取った原稿画像から、複数の分割データからなる画像データを生成する手段と、
前記外部記憶装置から記憶容量の空き容量を受信する手段と、
前記空き容量が前記画像データのデータ容量より小さい場合は、前記外部記憶装置へ前記空き容量で格納可能な前記分割データを送信すると共に、残った分割データからなる残データをデータ記憶部に格納する手段と、
前記外部記憶装置からの残データ取得要求に応じて、前記データ記憶部に格納した前記残データを前記外部記憶装置へ送信する手段と、を備え、
前記外部記憶装置は、
前記画像処理装置から受信した分割データを、データ格納部に格納する手段と、
前記情報端末から前記画像データの画像データ取得要求を受信したときに、前記データ格納部から前記分割データを読出す手段と、
前記読出した分割データが不完全な状態で格納されたものである場合に、前記画像処理装置へ前記残データ取得要求を送信する手段と、
前記画像処理装置から受信した残データと、前記読出した分割データとを画像データ取得要求の画像データとして前記情報端末へ送信する手段と、を備え、
前記情報端末は、
前記外部記憶装置へ、前記画像データ取得要求を送信する手段と、
前記外部記憶装置から前記画像データ取得要求の画像データを受信する手段と、を備えることを特徴とする画像処理システム。
【請求項２】
請求項１に記載の画像処理システムにおいて、
前記画像処理装置は、
前記外部記憶装置へ、前記空き容量の問合要求を送信する手段と、
前記外部記憶装置から受信した現在の空き容量が、前記データ記憶部に格納した前記残データのデータ容量より大きい場合は、前記残データを前記外部記憶装置へ送信する手段と、を備え、
前記外部記憶装置は、
前記画像処理装置からの前記空き容量の問合要求に応じて、前記現在の空き容量を送信する手段と、
前記画像処理装置から受信した前記残データを、データ格納部に格納した分割データと結合して格納する手段と、を備えることを特徴とする画像処理システム。
【請求項３】
請求項１または請求項２に記載の画像処理システムにおいて、
前記画像処理装置は、
前記外部記憶装置へ送信した前記分割データを削除する手段を備えることを特徴とする画像処理システム。
【請求項４】
ネットワークを介して画像データを送受信する記憶装置において、
画像処理装置から受信した分割データを格納するデータ格納部と、
画像データ取得要求を受信すると、前記データ格納部から前記分割データを読出すデータ読出手段と、
前記分割データが不完全な状態で格納されたものと判断した場合に、前記分割データを送信した画像処理装置へ前記分割データに関連する残データの取得要求を送信する残データ取得要求送信手段と、
残データを受信する残データ受信手段と、
前記データ格納部が格納する前記分割データと共に前記残データを前記画像データの取得要求に応じて送信する画像データ送信部と、を備えることを特徴とする記憶装置。
【発明の詳細な説明】
【技術分野】
【０００１】
本発明は、原稿画像から画像データを生成する画像処理装置と、画像データを格納する外部記憶装置と、画像データを表示する情報端末とをネットワークを介して接続した画像処理システムおよびその記憶装置に関する。
【背景技術】
【０００２】
従来の画像処理システムは、画像読取装置とファイルサーバと情報端末とをネットワークを介して接続し、画像読取装置で読取った原稿画像の画像データを、圧縮してファイルサーバへ格納しておき、ファイルサーバは情報端末からの画像データ取得要求に応じて格納した圧縮画像データを情報端末へ送信し、画像データのデータ容量を減少させて、アクセス時間の短縮やネットワーク負荷の軽減を図っている（例えば、特許文献１参照。）。
【先行技術文献】
【特許文献】
【０００３】
【特許文献１】特開２００７−２７４６１９号公報（段落００２３−００２７、００６２−００６９、００９９−０１０５、第４図、第１３図）
【発明の概要】
【発明が解決しようとする課題】
【０００４】
しかしながら、上述した従来の技術では、高い解像度の画像データを送信して転送できない場合があった。
本発明は、従来より、高い解像度の画像データを送信して転送できるようにすることを目的とする。 
【課題を解決するための手段】
【０００５】
本発明は、上記課題を解決するために、画像処理装置と外部記憶装置と情報端末とをネットワークを介して接続した画像処理システムであって、前記画像処理装置は、原稿画像を読取る画像読取部と、前記画像読取部で読取った原稿画像から、複数の分割データからなる画像データを生成する手段と、前記外部記憶装置から記憶容量の空き容量を受信する手段と、前記空き容量が前記画像データのデータ容量より小さい場合は、前記外部記憶装置へ前記空き容量で格納可能な前記分割データを送信すると共に、残った分割データからなる残データをデータ記憶部に格納する手段と、前記外部記憶装置からの残データ取得要求に応じて、前記データ記憶部に格納した前記残データを前記外部記憶装置へ送信する手段と、を備え、前記外部記憶装置は、前記画像処理装置から受信した分割データを、データ格納部に格納する手段と、前記情報端末から前記画像データの画像データ取得要求を受信したときに、前記データ格納部から前記分割データを読出す手段と、前記読出した分割データが不完全な状態で格納されたものである場合に、前記画像処理装置へ前記残データ取得要求を送信する手段と、前記画像処理装置から受信した残データと、前記読出した分割データとを画像データ取得要求の画像データとして前記情報端末へ送信する手段と、を備え、前記情報端末は、前記外部記憶装置へ、前記画像データ取得要求を送信する手段と、前記外部記憶装置から前記画像データ取得要求の画像データを受信する手段と、を備えることを特徴とする。
【発明の効果】
【０００６】
これにより、本発明は、原稿画像の画像データを圧縮することなく外部記憶装置と複合機に分散して格納することができ、原稿画像の画像データを劣化させることなく、外部記憶装置から読出すことができるという効果が得られる。
【図面の簡単な説明】
【０００７】
【図１】実施例１の画像処理システムの構成を示す説明図
【図２】実施例１の複合機を示すブロック図
【図３】実施例１のリンク先情報の構成例を示す説明図
【図４】実施例１の画像処理システムの分割データの流れを示す説明図
【図５】実施例１の画像データ格納処理を示す流れ図
【図６】実施例１の分割データ結合処理を示す流れ図
【図７】実施例２の複合機を示すブロック図
【図８】実施例２の結合先情報の構成例を示す説明図
【図９】実施例２の格納先変更処理の分割データの流れを示す説明図
【図１０】実施例２の画像データ格納処理を示す流れ図
【図１１】実施例２の格納先変更処理を示す流れ図
【発明を実施するための形態】
【０００８】
以下に、図面を参照して本発明による画像処理システムの実施例について説明する。
【実施例１】
【０００９】
本実施例の画像処理システムは、図１に示すように、画像処理装置としての複合機（ＭＦＰ）１と、外部記憶装置としての外部サーバ２と、パーソナルコンピュータ等の情報端末３とをネットワーク５を介して接続して構成される。
複合機１は、図２に示すように、原稿画像を読取るための画像読取部１１、画像読取部１１で読取った原稿画像から複数の分割データからなる画像データを生成する画像処理部１２、外部サーバ２から取得した空き容量を基に、生成した画像データが送信可能か否かを判定する空き容量判定部１３、データの送信や外部サーバ２からの情報の受信を行う通信部１４、原稿の読取開始や送信のキャンセル等の指示を行う操作部１５、外部サーバ２に格納できない分割データを格納するためのデータ記憶部１６、インストールされたプログラムにより前記各部を制御して複合機１の各種の処理を実行する制御部１７等を備えている。
【００１０】
なお、画像処理部１２で生成される画像データは、例えば、ＰＤＦ（Ｐｏｒｔａｂｌｅ  Ｄｏｃｕｍｅｎｔ  Ｆｏｒｍａｔ）やＴＩＦＦ（Ｔａｇｇｅｄ  Ｉｍａｇｅ  Ｆｉｌｅ  Ｆｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）等であり、一または複数の分割データ（本実施例では、１ページ分のデータ）から構成されている。
【００１１】
外部サーバ２は、図１に示すように、ネットワーク５上で通信を行う通信部２１と、複合機１により生成され、送信された画像データまたは分割データを格納するデータ格納部２２と、格納されたデータが分割データであった場合に、一つの画像データを構成する他の分割データ、つまりデータ格納部２２に格納した分割データ以外の分割データの格納先を示すリンク先情報を格納するリンク先情報格納部２３と、インストールされたプログラムにより前記各部を制御して外部サーバ２の各種の処理を実行するサーバ制御部２４等を備えている。
なお、外部サーバ２には、ＦＴＰ（Ｆｉｌｅ  Ｔｒａｎｓｆｅｒ  Ｐｒｏｔｏｃｏｌ）サーバ、ＨＴＴＰ（Ｈｉｐｅｒ  Ｔｅｘｔ  Ｔｒａｎｓｆｅｒ  Ｐｒｏｔｏｃｏｌ）サーバ、Ｗｉｎｄｏｗｓ共有サーバ等が含まれるものとする。
【００１２】
本実施例のリンク先情報は、図３に示すように、データ格納部２２に格納した分割データを含む画像データのファイル名、その画像データの他の分割データが格納されている記憶装置（本実施例では、複合機１）のＩＰアドレスである分割データ取得先等で構成されている。
情報端末３は、図１に示すように、ネットワーク５上で通信を行う通信部３１と、外部サーバ２から取得した画像データを表示する表示部３２と、インストールされたプログラムにより前記各部を制御して情報端末３の各種の処理を実行する端末制御部３３等を備えている。
【００１３】
上記の構成の作用について説明する。
本実施例の画像処理システムにおいては、複合機１で読取った複数の分割データからなる画像データを、画像データ格納処理により別々の記憶装置に分散して格納し、外部サーバ２が、情報端末３から格納している画像データの取得要求を受信したときに、分割データ結合処理により、外部サーバ２のデータ格納部２２に格納されている分割データを読出すと共に、他の記憶装置から当該画像データを構成する他の分割データを取得し、これらを情報端末３へ送信して結合表示するように各処理動作が実行される。
【００１４】
以下の説明においては、図４に示すように、複合機１で読取った画像データの３ページ分の分割データを、外部サーバ２に１ページ目を、複合機１に２ページ目と３ページ目を格納し、情報端末３からの画像データ取得要求に応じて、外部サーバ２が、データ格納部２２にから読出した１ページ目と、複合機１から取得した残りの２ページ目、３ページ目を情報端末３へ送信して表示する場合を例に説明する。
以下に、図５に示す流れ図を用いて本実施例の複合機１と外部サーバ２との間で実行される画像データ格納処理について説明する。なお、ステップ名は複合機１の場合をＦで、外部サーバ２の場合をＧで表す。
【００１５】
Ｆ１：複合機１の制御部１７は、画像読取部１１に画像を読取るべき原稿がセットされると、画像読取部１１によってセットされた原稿の原稿画像を読取る。
Ｆ２：原稿画像を読取った制御部１７は、画像処理部１２によって読取った原稿画像の画像処理を行い、複数の分割データ（本実施例では、３ページ分の分割データ）からなる画像データを生成する。
【００１６】
Ｆ３：画像データを生成した制御部１７は、画像データを格納するために、読取った原稿画像のファイル名の入力を受付け、操作部１５からファイル名が入力されると、通信部１４によって、格納先の外部サーバ２へネットワーク５を介してネットワーク接続を行うための接続要求を送信する。
Ｇ１：複合機１からの接続要求の受信を待って待機していた外部サーバ２のサーバ制御部２４は、複合機１からの接続要求を受信すると、複合機１とのネットワーク接続処理を行い、通信部２１によって送信元の複合機１へ、ネットワーク接続処理を終えた旨の接続応答を送信する。
【００１７】
Ｆ４：外部サーバ２への接続要求の送信後に、外部サーバ２からの接続応答の受信を待って待機していた複合機１の制御部１７は、通信部１４によって接続応答を受信すると、外部サーバ２へ、生成した画像データを格納するために入力されたファイル名を添付した書込ファイル作成要求を送信する。
Ｇ２：複合機１への接続応答の送信後に、複合機１からの情報の受信を待って待機していたサーバ制御部２４は、通信部２１によって書込ファイル作成要求を受信すると、外部サーバ２のデータ格納部２２に、添付されたファイル名の書込みファイルを新たに生成する。
【００１８】
Ｇ３：書込みファイルを生成したサーバ制御部２４は、送信元の複合機１へ、書込ファイルの生成を終えた旨のファイル生成応答を送信する。
Ｆ５：外部サーバ２への書込ファイル作成要求の送信後に、外部サーバ２からのファイル生成応答の受信を待って待機していた制御部１７は、ファイル生成応答を受信すると、外部サーバ２へデータ格納部２２の記憶容量の空き容量を問合せる空き容量問合要求を送信する。
【００１９】
Ｇ４：複合機１へのファイル生成応答の送信後に、複合機１からの空き容量問合要求の受信を待って待機していたサーバ制御部２４は、空き容量問合要求を受信すると、データ格納部２２の空き容量を計数し、その空き容量を送信元の複合機１へ送信する。
Ｆ６：外部サーバ２への空き容量問合要求の送信後に、外部サーバ２からの空き容量の応答を待って待機していた制御部１７は、データ格納部２２の空き容量を受信すると、空き容量判定部１３によって、受信した空き容量と生成した画像データの一つの分割データ（ページデータという。）のデータ容量とを比較し、空き容量がページデータのデータ容量より小さい場合（ＮＯ）はステップＦ９へ移行する。空き容量がページデータのデータ容量より大きい場合（ＹＥＳ）はステップＦ７へ移行する。
【００２０】
Ｆ７：書込ファイルの空き容量がページデータのデータ容量より大きいことにより、ページデータが格納可能と判定した制御部１７は、当該ページデータを外部サーバ２へ送信し、送信したページデータを削除してステップＦ８へ移行する。
Ｆ８：一つのページデータを送信した制御部１７は、ページデータが残っているか否かを判定し、残ページデータが存在する場合（ＹＥＳ）はステップＦ５へ戻り、ステップＦ５〜Ｆ８による残ページデータの格納可否の判定を行う。残ページデータが存在しない場合（ＮＯ）はステップＦ１１へ移行する。
【００２１】
Ｆ９：ステップＦ６において、書込ファイルの空き容量がページデータのデータ容量より小さいことにより、ページデータの外部サーバ２への格納が不可能と判定した制御部１７は、当該ページデータをデータ記憶部１６に格納してステップＦ１０へ移行する。
Ｆ１０：外部サーバ２に格納不能なページデータを自己のデータ記憶部１６に格納した制御部１７は、格納したページデータのファイル名と、自己のＩＰアドレスである分割データ取得先等からなるリンク先情報を作成し、そのリンク先情報を外部サーバ２へ送信してステップＦ１１へ移行する。
【００２２】
Ｆ１１：ステップＦ８において残ページデータがないことを判定した、またはステップＦ１０において外部サーバ２へリンク先情報を送信した制御部１７は、外部サーバ２とのネットワーク接続を切断するための切断要求を外部サーバ２へ送信してステップＦ１２へ移行する。
Ｇ５：一方、複合機１からの情報の受信を待って待機していたサーバ制御部２４は、受信した情報がページデータ（ステップＦ７参照）である場合（ＹＥＳ）はステップＧ６へ移行する。ページデータでない場合（ＮＯ）はステップＧ７へ移行する。
【００２３】
Ｇ６：ページデータを受信したサーバ制御部２４は、受信したページデータをデータ格納部２２の新たに生成した書込ファイルに格納してステップＧ７へ移行する。
Ｇ７：複合機１からの情報の受信を待って待機していたサーバ制御部２４は、受信した情報がリンク先情報（ステップＦ１０参照）である場合（ＹＥＳ）はステップＧ８へ移行する。リンク先情報でない場合（ＮＯ）はステップＧ９へ移行する。
【００２４】
Ｇ８：リンク先情報を受信したサーバ制御部２４は、受信したリンク先情報をリンク先情報格納部２３に格納してステップＧ９へ移行する。
Ｇ９：複合機１からの情報の受信を待って待機していたサーバ制御部２４は、受信した情報が切断要求（ステップＦ１１参照）である場合（ＹＥＳ）はステップＧ１０へ移行する。切断要求でない場合（ＮＯ）はステップＧ５へ戻り、ステップＧ５、Ｇ７、Ｇ９による待機を継続する。
【００２５】
Ｇ１０：複合機１からの切断要求を受信したサーバ制御部２４は、ステップＧ２において開いたデータ格納部２２の書込ファイルを閉じてステップＧ１１へ移行する。
Ｇ１１：書込ファイルを閉じたサーバ制御部２４は、複合機１とのネットワーク切断処理を行い、送信元の複合機１へ、ネットワーク切断処理を終えた旨の切断応答を送信し、接続子Ａ１を介してステップＧ１へ戻り、複合機１からの新たな接続要求の受信を待って待機する。
【００２６】
Ｆ１２：一方、複合機１の制御部１７は、ステップＦ１１における外部サーバ２への切断要求の送信後に、外部サーバ２からの切断応答の受信を待って待機し、切断応答を受信した場合（ＹＥＳ）は今回読取った原稿画像の画像データの格納処理を終了させる。切断応答を受信しない場合（ＮＯ）は前記の待機を継続する。
【００２７】
このように、本実施例の画像処理システムでは、外部サーバ２のデータ格納部２２の空き容量が画像データのデータ容量より大きい場合は、画像データの全ページデータをデータ格納部２２に格納し、空き容量が画像データのデータ容量より小さい場合は、外部サーバ２の空き容量で格納可能なページデータのみを外部サーバ２へ送信して格納し、残ったページデータ（残データという。）は自己のデータ記憶部１６に格納して、その所在を示すリンク先情報を外部サーバ２に格納する画像データ格納処理が実行される。
【００２８】
次に、上記のようにして複合機１と外部サーバ２に分散格納されたページデータ（分割データ）を情報端末３から取得しようとしたときの分割データ結合処理について、図６に示す流れ図を用いて説明する。なお、ステップ名は情報端末３の場合をＴＡで、外部サーバ２の場合をＧＡで、複合機１の場合をＦＡで表す。
【００２９】
ＴＡ１：情報端末３の端末制御部３３は、取得すべき原稿画像のファイル名の入力を受付け、ファイル名が入力されると、その画像データを取得するために、通信部３１によって、外部サーバ２へネットワーク５を介してネットワーク接続を行うための接続要求を送信する。
【００３０】
ＧＡ１：情報端末３からの接続要求の受信を待って待機していた外部サーバ２のサーバ制御部２４は、情報端末３からの接続要求を受信すると、情報端末３とのネットワーク接続処理を行い、通信部２１によって送信元の情報端末３へ、ネットワーク接続処理を終えた旨の接続応答を送信する。
ＴＡ２：外部サーバ２への接続要求の送信後に、外部サーバ２からの接続応答の受信を待って待機していた端末制御部３３は、通信部３１によって接続応答を受信すると、外部サーバ２へ、入力されたファイル名を添付した画像データ取得要求を送信する。
【００３１】
ＧＡ２：情報端末３への接続応答の送信後に、情報端末３からの情報の受信を待って待機していたサーバ制御部２４は、通信部３１によって画像データ取得要求を受信すると、データ格納部２２から、添付されたファイル名の画像データを構成するページデータを全て読出し、そのページデータを送信元の情報端末３へ送信する。
ＧＡ３：格納していたページデータを送信したサーバ制御部２４は、受信したファイル名のリンク先情報がリンク先情報格納部２３に格納されているか否かを判定し、当該ファイル名のリンク先情報が格納されている場合（ＹＥＳ）はステップＧＡ４へ移行する。当該ファイル名のリンク先情報が格納されていない場合（ＮＯ）はステップＧＡ８へ移行する。
【００３２】
ＧＡ４：当該ファイル名のリンク先情報が格納されていると判定したサーバ制御部２４は、リンク先情報格納部２３から該当するリンク先情報の分割データ取得先を読出す。
ＧＡ５：分割データ取得先を読出したサーバ制御部２４は、その分割データ取得先によって、残データが格納されている記憶装置である複合機１を特定し、その残データを取得するために、通信部２１によって、複合機１へネットワーク５を介したネットワーク接続を行うための接続要求を送信する。
【００３３】
ＦＡ１：外部サーバ２からの接続要求の受信を待って待機していた複合機１の制御部１７は、外部サーバ２からの接続要求を受信すると、外部サーバ２とのネットワーク接続処理を行い、通信部１３によって送信元の外部サーバ２へ、ネットワーク接続処理を終えた旨の接続応答を送信する。
【００３４】
ＧＡ６：複合機１への接続要求の送信後に、複合機１からの接続応答の受信を待って待機していたサーバ制御部２４は、通信部２１によって接続応答を受信すると、複合機１へ、取得すべき画像データのファイル名を添付した残データ取得要求を送信する。
ＦＡ２：外部サーバ２への接続応答の送信後に、外部サーバ２からの情報の受信を待って待機していた複合機１の制御部１７は、通信部１４によって残データ取得要求を受信すると、データ記憶部１６から、添付されたファイル名の画像データを構成する残データを読出し、その残データを送信元の外部サーバ２へ送信する。
【００３５】
ＧＡ７：複合機１への残データ取得要求の送信後に、複合機１からの残データの受信を待って待機していたサーバ制御部２４は、残データを受信すると、その残データを情報端末３へ送信する。
ＧＡ８：ステップＧＡ３において情報端末３から受信したファイル名のリンク先情報が格納されていないことにより、画像データを構成する全ページデータを送信した（ステップＧＡ２参照）、または当該ファイル名のリンク先情報が格納されていたことにより、画像データを構成する残データを送信した（ステップＧＡ７参照）サーバ制御部２４は、ファイル取得が完了した旨のファイル取得完了応答を情報端末３へ送信してステップＧＡ９へ移行する。
【００３６】
ＧＡ９：ファイル取得完了応答を情報端末３へ送信したサーバ制御部２４は、複合機１とのネットワーク接続を切断するための切断要求を複合機１へ送信してステップＧＡ１０へ移行する。
ＦＡ３：外部サーバ２への残データの送信後に、外部サーバ２からの切断要求の受信を待って待機していた複合機１の制御部１７は、外部サーバ２とのネットワーク切断処理を行い、送信元の外部サーバ２へ、ネットワーク切断処理を終えた旨の切断応答を送信して接続子Ｂ２を介してステップＦＡ１へ戻り、外部サーバ２からの新たな接続要求の受信を待って待機する。
【００３７】
ＧＡ１０：複合機１への切断要求の送信後に、複合機１からの切断応答の受信を待って待機していたサーバ制御部２４は、切断応答を受信すると、複合機１からの残データの取得を終えてステップＧＡ１１へ移行する。
ＴＡ３：一方、ステップＴＡ２において、外部サーバ２への画像データ取得要求の送信後に、受信したページデータ（残データを受信した場合はその残データを含む。）を図示しない端末記憶部に格納しながら外部サーバ２からのファイル取得完了応答（ステップＧＡ８参照）の受信を待って待機していた端末制御部３３は、ファイル取得完了応答を受信すると、外部サーバ２とのネットワーク接続を切断するための切断要求を外部サーバ２へ送信する。
【００３８】
ＧＡ１１：複合機１からの切断応答の受信後に、情報端末３からの切断要求の受信を待って待機していたサーバ制御部２４は、切断要求を受信すると、情報端末３とのネットワーク切断処理を行い、送信元の情報端末３へ、ネットワーク切断処理を終えた旨の切断応答を送信し、接続子Ａ２を介してステップＧＡ１へ戻り、情報端末３からの新たな接続要求の受信を待って待機する。
【００３９】
ＴＡ４：外部サーバ２への切断要求の送信後に、外部サーバ２からの切断応答の受信を待って待機していた端末制御部３３は、切断応答を受信すると、受信したページデータ（残データを受信した場合はそのページデータを含む。）をページ順に並べて結合し、結合したページデータからなる画像データを表示部３２に表示して今回の原稿画像の画像データの取得処理を終了させる。
【００４０】
このように、本実施例の画像処理システムでは、外部サーバ２に格納された画像データが一部のページデータである場合、つまり不完全な状態で格納された画像データである場合に、外部サーバ２に当該画像データの所在を示すリンク先情報を格納しておき、外部サーバ２のデータ格納部２２と複合機１のデータ記憶部１６とに分散して格納したページデータ（分割データ）を外部サーバ２が集めて一つの画像データに結合する分割データ結合処理が実行される。
【００４１】
以上説明したように、本実施例では、外部サーバの空き容量が不足している場合であっても、読取った原稿画像の画像データを圧縮することなく外部サーバと複合機に分散して格納することができ、圧縮に要する時間を短縮して画像データの格納時間を短縮することができると共に、原稿画像の画像データを劣化させることなく、外部サーバから読出すことができる。
【実施例２】
【００４２】
以下に、図７ないし図１１を用いて本実施例の画像処理システムについて説明する。なお、上記実施例１と同様の部分は、同一の符号を付してその説明を省略する。
本実施例の複合機１は、図７に示すように、上記実施例１の構成（図２参照）に加えて、定期的に外部サーバ２の空き容量の問合せを行うための時間を計数するタイマ部４１、データ記憶部１６に格納した分割データの結合先を示すデータ結合先情報を格納する結合先情報格納部４２を備えている。
【００４３】
本実施例の結合先情報は、図８に示すように、外部サーバ２のデータ格納部２２に格納できなかったためにデータ記憶部１６に格納されている残りの分割データ（残データ）の格納順を示す優先度、その残データの画像データのファイル名、残データを結合する分割データを格納している格納先の記憶装置（本実施例では、外部サーバ２）のＩＰアドレスである結合データ格納先等で構成されている。
【００４４】
上記の構成の作用について説明する。
本実施例の画像処理システムにおいては、複合機１で読取った複数の分割データからなる画像データを、画像データ格納処理により別々の記憶装置に分散して一旦格納し、複合機１が、格納先変更処理により、定期的に外部サーバ２の空き容量を確認して、外部サーバ２に複合機１に格納した残データを格納することができる空き容量が確保できた判定した場合に、複合機１がデータ記憶部１６に格納している残データを外部サーバ２へ送信して、外部サーバ２に全分割データを結合した画像データを格納するように各処理動作が実行される。
【００４５】
以下の説明においては、図９に示すように、複合機１で読取った画像データの３ページ分の分割データを、外部サーバ２に１ページ目を、複合機１に２ページ目と３ページ目を格納し、複合機１が外部サーバ２に残データを格納することができる空き容量が確保できた判定した場合に、複合機１から残りの２ページ目、３ページ目を外部サーバ２へ送信し、外部サーバ２に１〜３ページのページデータを結合した画像データを格納する場合を例に説明する。
【００４６】
以下に、図１０に示す流れ図を用いて本実施例の複合機１と外部サーバ２との間で実行される画像データ格納処理について説明する。なお、ステップ名は複合機１の場合をＦＢで、外部サーバ２の場合をＧＢで表す。
本実施例のステップＦＢ１〜ＦＢ１０およびＧＢ１〜ＧＢ４の処理動作は、上記実施例１のステップＦ１〜Ｆ１０およびＧ１〜Ｇ４の処理動作と同様であるので、その説明を省略する。
【００４７】
ＦＢ１１：リンク先情報を外部サーバ２へ送信した制御部１７は、データ記憶部１６に格納したページデータの格納順である優先度と、当該ページデータのファイル名と、当該ページデータを結合するページデータを格納している外部サーバ２のＩＰアドレスであるデータ結合先等からなる結合先情報を作成し、その結合先情報を結合先情報格納部４２に格納してステップＦＢ１２へ移行する。
その後のステップＦＢ１２〜ＦＢ１３およびＧＢ５〜ＧＢ１１の処理動作は、上記実施例１のステップＦ１１〜Ｆ１２およびＧ５〜Ｇ１１の処理動作と同様であるので、その説明を省略する。
【００４８】
以下に、図１１に示す流れ図を用いて本実施例の複合機１と外部サーバ２との間で実行される格納先変更処理について説明する。なお、ステップ名は複合機１の場合をＦＣで、外部サーバ２の場合をＧＣで表す。
ＦＣ１：複合機１の制御部１７は、上記画像データ格納処理との並行処理により、タイマ部４１によって、外部サーバ２との格納先変更処理の実施時刻を監視しながら、定期的な交信時刻（本実施例では、複合機１の立上時を含む６時間毎）の到来を待って待機しており、交信時刻が到来したときにステップＦＣ２へ移行する。交信時刻が到来しない場合はタイマ部４１による経過時間の計数を継続する。
【００４９】
ＦＣ２：交信時刻の到来を認識した制御部１７は、今回の格納先変更処理を打切るまでの打切時間（本実施例では、１時間）を計数するために、タイマ部４１によって、交信時刻からの経過時間の計数を開始する。
ＦＣ３：交信時刻からの経過時間の計数を開始した制御部１７は、結合先情報格納部４２から優先度１の結合先情報を読出す。
【００５０】
ＦＣ４：結合先情報を読出した制御部１７は、結合先情報のファイル名によってデータ記憶部１６に格納されている外部サーバ２のデータ格納部２２に格納できなかった残りのページデータ（残データ）を特定し、そのデータ容量を計数する。
ＦＣ５：残データのデータ容量を計数した制御部１７は、結合先情報の結合データ格納先によって残データを結合して格納すべきページデータを格納している記憶装置である外部サーバ２を特定し、その外部サーバ２へネットワーク５を介したネットワーク接続を行うための接続要求をへ送信する。
【００５１】
ＧＣ１：複合機１からの接続要求の受信を待って待機していた外部サーバ２のサーバ制御部２４は、複合機１からの接続要求を受信すると、複合機１とのネットワーク接続処理を行い、送信元の複合機１へ、ネットワーク接続処理を終えた旨の接続応答を送信する。
ＦＣ６：外部サーバ２への接続要求の送信後に、外部サーバ２からの接続応答の受信を待って待機していた複合機１の制御部１７は、接続応答を受信すると、外部サーバ２へ、データ格納部２２の空き容量を問合せる空き容量問合要求を送信する。
【００５２】
ＧＣ２：複合機１への接続応答の送信後に、複合機１からの空き容量問合要求の受信を待って待機していたサーバ制御部２４は、空き容量問合要求を受信すると、データ格納部２２の現在の空き容量を計数し、その空き容量を送信元の複合機１へ送信する。
ＦＣ７：外部サーバ２への空き容量問合要求の送信後に、外部サーバ２からの空き容量の受信を待って待機していた制御部１７は、データ格納部２２の現在の空き容量を受信すると、空き容量判定部１３によって、受信した現在の空き容量と計数した残データのデータ容量とを比較し、空き容量が残データのデータ容量より小さい場合（ＮＯ）はステップＦＣ１２へ移行する。空き容量が残データのデータ容量より大きい場合（ＹＥＳ）はステップＦＣ８へ移行する。
【００５３】
ＦＣ８：外部サーバ２の現在の空き容量が残データのデータ容量より大きいことにより、残データが格納可能と判定した制御部１７は、当該残データを結合するために、データ記憶部１６から、ステップＦＣ４において特定した残データを読出し、その残データと結合先情報のファイル名とを添付したデータ書込要求を外部サーバ２へ送信してステップＦＣ９へ移行する。
【００５４】
ＦＣ９：外部サーバ２への空き容量問合要求の送信後に、後述する外部サーバ２のステップＧＣ５からのデータ結合完了応答の受信を待って待機していた制御部１７は、データ結合完了応答を受信すると、結合先情報格納部４２の該当する結合先情報、つまりステップＦＣ３において読出した優先度１の結合先情報を削除してステップＦＣ１０へ移行する。
【００５５】
ＦＣ１０：該当する結合先情報を削除した制御部１７は、結合先情報格納部４２に格納されている結合先情報の優先度を一つずつ繰上げ、各結合先情報の優先度を更新してステップＦＣ１１へ移行する。
ＦＣ１１：結合先情報の優先度を更新した制御部１７は、ステップＦＣ８において結合のために外部サーバ２へ送信した残データを削除してステップＦＣ１４へ移行する。
【００５６】
ＦＣ１２：ステップＦＣ７において外部サーバ２の現在の空き容量が不足していると判定した制御部１７は、タイマ部４１によって、ステップＦＣ７における空き容量の判定時からの、次の空き容量の問合せまでの時間間隔である問合間隔（本実施例では、５分間）の経過を待って待機し、問合間隔が経過したときにステップＦＣ１３へ移行する。
ＦＣ１３：制御部１７は、ステップＦＣ２において開始した打切時間の経過を確認し、現在までの経過時間が打切時間以上の場合は、今回の定期交信を打切ってステップＦＣ１４へ移行する。現在までの経過時間が打切時間未満の場合はステップＦＣ６へ戻って、外部サーバ２へ次の空き容量問合要求を送信する。
【００５７】
ＦＣ１４：ステップＦＣ１３において今回の定期交信を打切った、またはステップＦＣ１０において外部サーバ２へ送信した残データを削除した制御部１７は、外部サーバ２とのネットワーク接続を切断するための切断要求を外部サーバ２へ送信して、ステップＦＣ１５へ移行する。
ＧＣ３：一方、複合機１への現在の空き容量の送信後に、複合機１からの情報の受信を待って待機していたサーバ制御部２４は、受信した情報がデータ書込要求（ステップＦＣ８参照）である場合（ＹＥＳ）はステップＧＣ４へ移行する。受信した情報がデータ書込要求でない場合（ＮＯ）はステップＧＣ８へ移行する。
【００５８】
ＧＣ４：複合機１からのデータ書込要求を受信したサーバ制御部２４は、受信したデータ書込要求のファイル名によって、データ格納部２２の該当するページデータを有する書込ファイルを特定し、その書込ファイルを開いて、ページデータと受信した残データとをページ順に並べて残データを追記し、この結合したページデータからなる画像データをデータ格納部２２に格納してステップＧＣ５へ移行する。
【００５９】
ＧＣ５：受信した残データを追記して格納した制御部１７は、ページデータの結合が完了した旨のデータ結合完了応答を複合機１へ送信してステップＧＣ６へ移行する。
ＧＣ６：複合機１へのデータ結合完了応答を送信したサーバ制御部２４は、データ書込要求のファイル名によって、リンク先情報格納部２３の該当するリンク先情報を特定し、ページデータ結合済みのリンク先情報を削除してステップＧＣ７へ移行する。
【００６０】
ＧＣ７：ページデータ結合済みのリンク先情報を削除したサーバ制御部２４は、ステップＧＣ４において開いたデータ格納部２２の書込ファイルを閉じてステップＧＣ８へ移行する。
ＧＣ８：複合機１からの情報の受信を待って待機していたサーバ制御部２４は、受信した情報が切断要求（ステップＦＣ１４参照）である場合（ＹＥＳ）はステップＧＣ９へ移行する。切断要求でない場合（ＮＯ）はステップＧＣ３へ戻り、ステップＧＣ３、ＧＣ８による待機を継続する。
【００６１】
ＧＣ９：複合機１からの切断要求を受信したサーバ制御部２４は、複合機１とのネットワーク切断処理を行い、送信元の複合機１へ、ネットワーク切断処理を終えた旨の切断応答を送信し、接続子Ａ４を介してステップＧＣ１へ戻り、複合機１からの新たな接続要求の受信を待って待機する。
【００６２】
ＦＣ１５：一方、複合機１の制御部１７は、ステップＦＣ１１における外部サーバ２への切断要求の送信後に、外部サーバ２からの切断応答の受信を待って待機し、切断応答を受信した場合（ＹＥＳ）は今回の格納先変更処理を終了させる。切断応答を受信しない場合（ＮＯ）は前記の待機を継続する。
【００６３】
このように、本実施例の画像処理システムでは、外部サーバ２の空き容量が画像データのデータ容量より小さい場合は、そのページデータを複合機１と外部サーバ２とに分散させて一旦格納し、外部サーバ２に格納された画像データが不完全な状態で格納されたものである場合に、複合機１のデータ記憶部１６に格納した残りのページデータである残データの結合先情報を複合機１に格納しておき、複合機１が定期的に外部サーバ２の空き容量を確認し、残データを格納する空き容量が確保できたときは、その残データを外部サーバ２へ送信して、外部サーバ２に完全な状態の画像データを格納するは格納先変更処理が実行される。
なお、本実施例の分割データ結合処理の処理動作は、上記実施例１の分割データ結合処理の処理動作（図６参照）と同様であるので、その説明を省略する。
【００６４】
以上説明したように、本実施例では、上記実施例１と同様の効果に加えて、外部サーバの空き容量が増加した場合に、複合機に格納している残データを外部サーバに送信して格納するので、複合機のデータ記憶部が容量不足になることはなく、複合機１の負荷を軽減することができる。
なお、上記各実施例においては、画像処理装置は複合機であるとして説明したが、画像処理装置は前記に限らず、スキャナや複写機、ＦＡＸ、プリンタ等であってもよい。
【符号の説明】
【００６５】
１    複合機
２    外部サーバ
３    情報端末
５    ネットワーク
１１  画像読取部
１２  画像処理部
１３  空き容量判定部
１４、２１、３１  通信部
１５  操作部
１６  データ記憶部
１７  制御部
２２  データ格納部
２３  リンク先情報格納部
２４  サーバ制御部
３２  表示部
３３  端末制御部
４１  タイマ部
４２  結合先情報格納部
【図１】
2012199699.tif 000003
【図２】
2012199699.tif 000004
【図３】
2012199699.tif 000005
【図４】
2012199699.tif 000006
【図５】
2012199699.tif 000007
【図６】
2012199699.tif 000008
【図７】
2012199699.tif 000009
【図８】
2012199699.tif 000010
【図９】
2012199699.tif 000011
【図１０】
2012199699.tif 000012
【図１１】
2012199699.tif 000013